【手続補正書】
【提出日】平成24年4月16日(2012.4.16)
【手続補正１】
【補正対象書類名】明細書
【補正対象項目名】００１１
【補正方法】変更
【補正の内容】
【００１１】
上記目的を達成するために、本発明の画像処理装置は、画像処理装置であって、スライドショーの対象となる画像の識別情報が記述されたリストファイルを生成する生成手段と、外部装置から、前記外部装置が有するリストファイルを受信する受信手段と、前記生成手段により生成されたリストファイルと、前記受信手段により受信されたリストファイルとを統合し、所定の順序で前記画像の識別情報が記述された統合リストを生成する第２の生成手段と、前記第２の生成手段により生成された統合リストに基づく順番で、前記画像処理装置の記録媒体または前記外部装置の記録媒体に記録された画像をスライドショーするよう制御する制御手段とを有し、前記生成手段により生成されたリストファイル及び前記受信手段により受信されたリストファイルには、画像の属性情報を含む再生サービス情報が記述されており、前記第２の生成手段は、前記生成手段により生成されたリストファイル及び前記受信手段により受信されたリストファイルに記述された再生サービス情報に基づく再生サービス情報が記述された統合リストを生成し、前記制御手段は、前記統合リストに記述された再生サービス情報に基づく順番で、前記スライドショーを実行することを特徴とする。
また、本発明の画像処理装置の制御方法は、画像処理装置の制御方法であって、スライドショーの対象となる画像の識別情報が記述されたリストファイルを生成する生成ステップと、外部装置から、前記外部装置が有するリストファイルを受信する受信ステップと、前記生成ステップで生成したリストファイルと、前記受信ステップで受信したリストファイルとを統合し、所定の順序で前記画像の識別情報が記述された統合リストを生成する第２の生成ステップと、前記第２の生成ステップで生成した統合リストに基づく順番で、前記画像処理装置の記録媒体または前記外部装置の記録媒体に記録された画像をスライドショーする制御ステップとを有し、前記生成ステップで生成したリストファイル及び前記受信ステップで受信したリストファイルには、画像の属性情報を含む再生サービス情報が記述されており、前記第２の生成ステップでは、前記生成ステップで生成したリストファイル及び前記受信ステップで受信したリストファイルに記述された再生サービス情報に基づく再生サービス情報が記述された統合リストを生成し、前記制御ステップでは、前記統合リストに記述された再生サービス情報に基づく順番で、前記スライドショーを実行することを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００７４
【補正方法】変更
【補正の内容】
【００７４】
撮影位置が、緯度３５°５０’Ｎ〜３５°３０’Ｎ・経度  １３９°５０’Ｅ〜１３９°４０’Ｅを選択した際の再生処理を考える。この場合、この選択した撮影位置内で撮影された画像をスライドショー再生することになる。例えば、ＪＯＢ内のベンダーユニークリージョンに“ＶＵＱ  ＬＯＣＡＴＩＯＮ  ＝  ３５．４０’Ｎ  １３９．４６Ｅ”と記述された画像をスライドショー再生することになる。また、画像にコメント有りを選択した際の再生処理であれば、“ＶＵＱ  ＣＯＭＭＥＮＴ  ＝  ＹＥＳ”と記述された画像をスライドショー再生する。更に、レイティングと撮影位置のように複数の条件を選択された場合は、全ての条件を満たすベンダーユニークリージョンが記述されたＪＯＢ内の画像をスライドショー再生することになる。
【手続補正５】
【補正対象書類名】明細書
【補正対象項目名】００８６
【補正方法】変更
【補正の内容】
【００８６】
例えば、対象画像に対するレイティング値が５である場合は、
“ＶＵＱ  ＶＡＬ  ＝  ００５”
のように記載する。また、画像を撮影した位置が、緯度３５°４０’Ｎ・経度  １３９°４６’Ｅの東京駅周辺である場合は、
“ＶＵＱ  ＬＯＣＡＴＩＯＮ  ＝  ３５．４０’Ｎ  １３９．４６Ｅ”
のように記載する。さらに画像に対するコメントが付加されている場合は、
“ＶＵＱ  ＣＯＭＭＥＮＴ  ＝  ＹＥＳ”
と記載する。
【手続補正６】
【補正対象書類名】明細書
【補正対象項目名】０１２２
【補正方法】変更
【補正の内容】
【０１２２】
また撮影位置が、緯度３５°５０’Ｎ〜３５°３０’Ｎ・経度  １３９°５０’Ｅ〜１３９°４０’Ｅを選択した際の再生処理であれば、次のようになる。即ち、ＪＯＢ内のベンダーユニークリージョンに“ＶＵＱ  ＬＯＣＡＴＩＯＮ  ＝  ３５．４０’Ｎ  １３９．４６Ｅ”のように選択した撮影位置内で撮影された画像をスライドショー再生する。
【手続補正７】
【補正対象書類名】特許請求の範囲
【補正対象項目名】全文
【補正方法】変更
【補正の内容】
【特許請求の範囲】
【請求項１】
画像処理装置であって、
スライドショーの対象となる画像の識別情報が記述されたリストファイルを生成する生成手段と、
外部装置から、前記外部装置が有するリストファイルを受信する受信手段と、
前記生成手段により生成されたリストファイルと、前記受信手段により受信されたリストファイルとを統合し、所定の順序で前記画像の識別情報が記述された統合リストを生成する第２の生成手段と、
前記第２の生成手段により生成された統合リストに基づく順番で、前記画像処理装置の記録媒体または前記外部装置の記録媒体に記録された画像をスライドショーするよう制御する制御手段とを有し、
前記生成手段により生成されたリストファイル及び前記受信手段により受信されたリストファイルには、画像の属性情報を含む再生サービス情報が記述されており、
前記第２の生成手段は、前記生成手段により生成されたリストファイル及び前記受信手段により受信されたリストファイルに記述された再生サービス情報に基づく再生サービス情報が記述された統合リストを生成し、
前記制御手段は、前記統合リストに記述された再生サービス情報に基づく順番で、前記スライドショーを実行することを特徴とする画像処理装置。
【請求項２】
ユーザから、前記再生サービス情報に基づく前記スライドショー条件を受け付ける受け付け手段をさらに有する請求項１に記載の画像処理装置。
【請求項３】
前記生成手段により生成されたリストファイル及び前記受信手段により受信されたリストファイルは、ＤＰＯＦ（Ｄｉｇｉｔａｌ  Ｐｒｉｎｔ  Ｏｒｄｅｒ  Ｆｏｒｍａｔ）にしたがったファイルであることを特徴とする請求項１または２の画像処理装置。
【請求項４】
前記再生サービス情報は、前記生成手段により生成されたリストファイル及び前記受信手段により受信されたリストファイルのベンダーユニークリージョンに記述されることを特徴とする請求項３の画像処理装置。
【請求項５】
前記再生サービス情報は、画像のレイティング情報を含むことを特徴とする請求項１乃至４のいずれか１項に記載の画像処理装置。
【請求項６】
前記再生サービス情報は、前記画像の撮影位置を示す情報を含むことを特徴とする請求項１乃至５のいずれか１項に記載の画像処理装置。
【請求項７】
前記再生サービス情報は、前記画像を提供するカメラ識別情報を示す情報を含むことを特徴とする請求項１乃至６のいずれか１項に記載の画像処理装置。
【請求項８】
前記再生サービス情報は、前記画像にコメントが付加されているかを示す情報を含むことを特徴とする請求項１乃至７のいずれか１項に記載の画像処理装置。
【請求項９】
前記制御手段は、前記統合リストに基づくスライドショーにおいて、前記外部装置から前記スライドショー対象となる画像を受信してスライドショーすることを特徴とする請求項１乃至８のいずれか１項に記載の画像処理装置。
【請求項１０】
画像処理装置の制御方法であって、
スライドショーの対象となる画像の識別情報が記述されたリストファイルを生成する生成ステップと、
外部装置から、前記外部装置が有するリストファイルを受信する受信ステップと、
前記生成ステップで生成したリストファイルと、前記受信ステップで受信したリストファイルとを統合し、所定の順序で前記画像の識別情報が記述された統合リストを生成する第２の生成ステップと、
前記第２の生成ステップで生成した統合リストに基づく順番で、前記画像処理装置の記録媒体または前記外部装置の記録媒体に記録された画像をスライドショーする制御ステップとを有し、
前記生成ステップで生成したリストファイル及び前記受信ステップで受信したリストファイルには、画像の属性情報を含む再生サービス情報が記述されており、
前記第２の生成ステップでは、前記生成ステップで生成したリストファイル及び前記受信ステップで受信したリストファイルに記述された再生サービス情報に基づく再生サービス情報が記述された統合リストを生成し、
前記制御ステップでは、前記統合リストに記述された再生サービス情報に基づく順番で、前記スライドショーを実行することを特徴とする画像処理装置の制御方法。
【請求項１１】
コンピュータを、請求項１乃至９のいずれか１項に記載の画像処理装置の各手段として機能させるためのコンピュータで読み取り可能なプログラム。